(57)【要約】【課題】従来の交流電源によって充電される充電ユニットと非接触で電磁誘導により給電される電子機器システムで、電子機器を操作するときは交流電源と接続を断つ必要があった。【解決手段】交流電源からの交流を整流して直流で第１の蓄電池に充電する充電ユニットと、該充電ユニットと非接触で電磁誘導により第２の蓄電池を充電し、第２の蓄電池の電力により給電される電子機器とで構成される電子機器システムで、前記電子機器の操作又は操作準備中であるという状態であると検出されたときに、前記交流電源と前記電子機器の蓄電池との接続を断っても第１の蓄電池により第２の蓄電池の充電を許容するよう制御する手段を設けた。【選択図】図１
2010130834.tif 000002
【特許請求の範囲】
【請求項１】
交流電源からの交流を整流して直流で第１の蓄電池に充電する充電ユニットと、
該充電ユニットと非接触で電磁誘導により第２の蓄電池を充電し、第２の蓄電池の電力により給電される電子機器とで構成される電子機器システムで、
前記電子機器の操作又は操作準備中であるという状態であると検出されたときに、
前記交流電源と前記電子機器の蓄電池との接続を断ち、第１の蓄電池により第２の蓄電池の充電を許容するよう制御する制御手段を備えた電子機器システム。
【請求項２】
充電ユニットと、該充電ユニットと分離可能な電子機器とで構成される電子機器システムであって、
前記充電ユニットは、交流電源から交流電流を入力する入力部と、
前記交流電流を整流して直流電流に変換する整流回路部と、該整流回路部から変換された直流電流で
前記充電ユニット内の少なくとも一つの蓄電池を充電するよう制御する制御回路部と、
前記蓄電池から直流電流を放電させるよう制御を行なう放電制御回路部と、
前記放電された直流電流を交流電流に変換するインバータ回路部と、
前記変換された交流電流を流して電磁誘導を発生させる電磁誘導発生部と、を備え、
前記電子機器は、前記電磁誘導発生部によって発生された交流電流を励起し、
前記電子機器内の電気要素を起電させる起電部と、備え、さらに、
前記電子機器の操作状態乃至は操作状態準備状態を検出する手段を備え、
前記充電ユニット乃至は前記電子機器に、両者が所定の位置関係であるか否かを検出する検出部を
前記充電ユニット乃至は前記電子機器に備え、前記電子機器の操作状態乃至は操作状態準備状態を検出し、且つ
前記電子機器と前記充電ユニットとが所定の位置関係であることを検出したときに、
前記制御回路部を制御して前記交流電流の前記蓄電池への入力を遮断すると共に
前記蓄電池から前記インバータ回路部への直流電流を入力することを許容し、
前記電子機器の起電部に交流電流を励起させる制御手段を備えた電子機器システム。
【請求項３】
前記充電ユニットは、前記蓄電池の電圧が前記電子機器の起電部に交流電流を励起可能な所定の電圧以上かどうかを監視する第１の電圧監視部を備え、
前記蓄電池の電圧が前記所定の電圧より小さい電圧であると判定した時、
前記蓄電池から前記インバータ回路部への直流電流の入力を禁止する電子機器システム。
【請求項４】
前記蓄電池が複数ある場合、一つの蓄電池の電圧が所定の電圧に達したか否かを監視する第１の電圧監視部を備え、
前記蓄電池の電圧が前記所定の電圧に達した時は、
前記整流回路部から他の蓄電池への入力を許容する請求項１に記載の電子機器システム。
【請求項５】
前記電子機器が、血圧、生体インピーダンス、心電波形等を測定する生体情報測定装置である請求項１から請求項３に記載の電子機器システム。
【発明の詳細な説明】
【技術分野】
【０００１】
本発明は、歯ブラシや髭剃り器、また血圧計、心電図計等の携帯型電子機器を充電する非接触型充電器に関する。
【背景技術】
【０００２】
非接触型充電器で充電器側の高周波発振回路と電磁気的に結合される内蔵蓄電池内蔵の負荷機器、例えば歯ブラシやひげそり器等の負荷を有する機器側の負荷が接続された状態で充電されようとした場合には、これを検知して危険性があるとのことを表示したり、警報を行ったり、或いは高周波発振回路の動作を停止させることにより、蓄電池に負荷を接続した状態で充電するのを未然に防ぐことができる方式が、図１１、図１２で示す特許文献１で開示されている。
【０００３】
図１０では商用電源ＡＣを全波整流器ＤＢで全波整流し、コンデンサＣ１で平滑して得られる直流電源から抵抗Ｒ１を介してトランジスタＱ１のベースに起動電流が供給されると、トランジスタＱ１がオンし、一次巻線Ｌ１を介してトランジスタＱ１には図１２（ａ）に示すようなコレクタ電流が流れ、トランジスタＱ１の飽和によってトランジスタＱ１はオフする。この動作において、上記一次巻線Ｌ１に電磁気的に結合された帰還巻線Ｌ３に電圧が誘起され、抵抗Ｒ２、コンデンサＣ２を介してトランジスタＱ１のベース電流を供給するため、自励発振がスタートする。
【０００４】
トランジスタＱ１のオン期間中に一次巻線Ｌ１に蓄えられた磁気エネルギは、トランジスタＱ１のオフ期間に放出され、一次巻線Ｌ１に電磁気的に結合された二次巻線Ｌ２には電磁誘導によって二次電圧が誘起し、ダイオードＤ２を通じて蓄電池Ｂを充電するようになっている。ここで充電装置としての高周波発振回路は、二次巻線Ｌ２側を除いて一次側として充電器６１内に内蔵され、上記二次巻線Ｌ２と蓄電池Ｂと蓄電池Ｂの出力で駆動されるモータ等の負荷Ｍは負荷機器６３側に内蔵され、負荷機器６３を充電器６１側の所定位置に装着することにより、上記二次巻線Ｌ２が一次巻線Ｌ１と電磁気的に結合されて上記のように二次電圧を得、蓄電池Ｂを充電できるようになっている。
【０００５】
さて上記の一次側のトランジスタＱ1 のエミッタには一次電流を検出する抵抗Ｒ3 を接続し、この抵抗Ｒ3 の両端電圧をダイオードＤ1、コンデンサＣ３による積分回路で積分するようになっている。つまり、二次側負荷の負荷電圧によってトランジスタＱ1のエミッタと抵抗Ｒ３の接続点ａでの周期が変わることと抵抗Ｒ３の両端電圧のピーク値が一定であることを利用し、二次側負荷の負荷電圧により図１２（ｂ）に示すような変化する積分回路の積分値を識別することで、負荷Ｍが蓄電池Ｂに接続されているか否を判別するようになっており、積分値の変化カーブは図１２（ｃ）に示すように二次負荷である蓄電池Ｂの充電電圧ＶＢのカーブに比例するため、積分値の変化をみれば二次側の蓄電池Ｂの充電電圧のカーブを知ることができるのである。
【０００６】
而して本実施例では積分値をＡ／Ｄコンバータ６５でＡ／Ｄ変換した後ＣＰＵ６６に取込んで演算し、単位時間当たりの積分値のカーブの傾きｙ／ｘを求め、この傾きｙ／ｘの値が変化していれば、蓄電池Ｂの充電のためにのみ二次電流が流れているとＣＰＵ６６が判断する。また負荷機器６３側の操作スイッチＳＷがオンして、負荷Ｍが蓄電池Ｂに接続されていると、図１２（ｄ）に示すように二次巻線Ｌ２からの二次電流が負荷Ｍに流れるため、一次側の電流が増大して、抵抗Ｒ３の両端電圧も大きくなり、積分値は図１１（ｂ）の破線で示すようにピーク値に達し、積分値の傾きｙ／ｘの値が変化しないため、ＣＰＵ６では負荷Ｍが接続されたと判断し、報知回路６７により表示や警報を鳴らし、使用者に知らせるのである。
【０００７】
【特許文献１】特許３１７９８０２号公報
【発明の開示】
【発明が解決しようとする課題】
【０００８】
特許文献１は、蓄電池に負荷を接続した状態で充電するのを未然に防ぐことができるように負荷Ｍが蓄電池Ｂに接続されていると報知回路６７により表示や警報が鳴り、使用者が負荷を使用できないようになっている。負荷Mを使用時に交流電源に接続していると誤って交流電源が負荷に加わって事故を起こすような可能性があるような問題があり、そのような事故を未然に防ぐための発明である。しかしながら、交流電源との接続を断っても、充電側のコンデンサＣ１に蓄えられた電荷を負荷機器６３に対して充電して負荷側の蓄電池の電荷を増加させることは考えられていない。
【課題を解決するための手段】
【０００９】
本発明は上記課題を鑑みてなされたものであって、簡素な構成でかつ負荷機器への電磁障害や電気的な危害を最小限に抑え、かつ交流電源との接続を断っても充電側の蓄電池に蓄積された電荷を負荷機器の蓄電池に充電することを許容する非接触型充電器を提供することを目的とする。係る目的を達成する一手段として例えば以下の構成を備える。
【００１０】
本発明の請求項１は、交流電源からの交流を整流して直流で第１の蓄電池に充電する充電ユニットと、該充電ユニットと非接触で電磁誘導により第２の蓄電池を充電し、第２の蓄電池の電力により給電される電子機器とで構成される電子機器システムで、前記電子機器の操作又は操作準備中であるという状態であると検出されたときに、前記交流電源と前記電子機器の蓄電池との接続を断ち、第１の蓄電池により第２の蓄電池の充電を許容するよう制御する制御手段を備えた電子機器システムを提供するものである。
【００１１】
本発明の請求項２は、充電ユニットと、該充電ユニットと分離可能な電子機器とで構成される電子機器システムであって、前記充電ユニットは、交流電源から交流電流を入力する入力部と、前記交流電流を整流して直流電流に変換する整流回路部と、該整流回路部から変換された直流電流で前記充電ユニット内の少なくとも一つの蓄電池を充電するよう制御する制御回路部と、前記蓄電池から直流電流を放電させるよう制御を行なう放電制御回路部と、前記放電された直流電流を交流電流に変換するインバータ回路部と、前記変換された交流電流を流して電磁誘導を発生させる電磁誘導発生部と、を備え、前記電子機器は、前記電磁誘導発生部によって発生された交流電流を励起し、前記電子機器内の電気要素を起電させる起電部と、備え、さらに、前記電子機器の操作状態乃至は操作状態準備状態を検出する手段を備え、前記充電ユニット乃至は前記電子機器に、両者が所定の位置関係であるか否かを検出する検出部を前記充電ユニット乃至は前記電子機器に備え、前記前記電子機器の操作状態乃至は操作状態準備状態を検出し、且つ前記電子機器と前記充電ユニットとが所定の位置関係であることを検出したときに、前記制御回路部を制御して前記交流電流の前記蓄電池への入力を遮断すると共に前記蓄電池から前記インバータ回路部への直流電流を入力することを許容し、前記電子機器の起電部に交流電流を励起させる電子機器システムを提供することにある。
【００１２】
本発明の請求項３は、前記充電ユニットは、前記蓄電池の電圧が前記電子機器の起電部に交流電流を励起可能な所定の電圧以上かどうかを監視する第１の電圧監視部を備え、前記蓄電池の電圧が所定の電圧より小さい電圧であると判定した時、前記蓄電池から前記インバータ回路部への直流電流の入力を禁止する電子機器システムを提供することにある。
【００１３】
本発明の請求項３は、前記蓄電池が複数ある場合、一つの蓄電池の電圧が所定の電圧に達したか否かを監視する第１の電圧監視部を備え、前記蓄電池の電圧が前記所定の電圧に達した時は、前記整流回路部から他の蓄電池への入力を許容する請求項１に記載の電子機器システムを提供することにある。
【００１４】
請求項４は、前記電子機器が、血圧、生体インピーダンス、心電波形等を測定する生体情報測定装置である請求項１から請求項３に記載の電子機器システムを提供することにある。
【発明の効果】
【００１５】
この方式によれば、交流電源に接続された充電ユニットから電磁誘導で電子機器内に備えられた蓄電池に充電されて電子機器に給電される電子機器の操作時または操作準備中に、交流電源から電流が電子機器内に流れないようにするので事故を防ぐことができる。さらに、電子機器の操作時または操作準備中に、交流電源と電子機器の接続を断っても、充電ユニット内で交流電源を整流して充電した蓄電池の電荷を電子機器の知己電池に充電して利用可能とするものである。
【発明を実施するための最良の形態】
【００１６】
以下、本発明の実施の形態を図１〜図６に基づいて説明する。
【００１７】
図１は本発明の一実施例の構成を示している。この実施例では、充電ユニット１と、充電ユニット１によって非接触で充電可能な電子機器２とで構成されている。
【００１８】
充電ユニット１に対して外部から電源を供給する交流電源は３で示し、充電ユニット１の入力部４に対して交流電源３が入力され、５で示す整流回路部で交流電流を直流に変換される。６は充電ユニット１の種々の動作を制御する制御回路部を、６Ａは制御回路部６に導くアナログ回路部を、６Ｂはアナログ回路部６Ａの信号をデジタル信号に変換するＡ／Ｄ変換器を示す。
【００１９】
充電ユニット１は電子機器とが近接状態にあるかどうかを検出するために発光器１Ａと受光器２Ａを設ける。充電ユニット１を起動させる、１Ｃで示す起動スイッチをオンしたときの信号を制御回路部６のＡ端子に入力される。Ａ端子からの信号によって制御回路部６のＢ端子からの信号で発光器１Ａを発光させる。その発光した光を電子機器２内の受光器２Ａに導き、受光器２Ａで受けた信号を、後述の１４で示す制御回路部のＭ端子に導く。
【００２０】
図２、図３は横軸に発光開始からの経過時間を表し、縦軸に発光器の発光輝度を表し、図２は発光輝度が発光開始から一定輝度で発光するフラット発光であることを示し、図３は発光輝度が図で示すとおり、間欠発光することを示している。
【００２１】
制御回路部１４の中で受光器２Ａで受けた信号の強度が設定されている所定レベル以上かどうかを判定する。受光器２Ａで受けた受光信号が所定のレベル以上であると、図２に示すように制御回路部１４のＮ端子からの出力で発光器２Ｂを所定時間、フラット発光させ、充電ユニット１に設けた受光器１Ｂでその光を受けて、その結果を制御回路部６のＣ端子に導く。制御回路部６は充電ユニット１と電子機器２は所定の位置関係、即ち、近接状態にあると判断する。
【００２２】
制御回路部１４の中で受光器２Ａで受けた信号の強度が設定されている所定レベル以上かどうかを判定する。受光器２Ａで受けた受光信号が所定のレベル以上であると、図２に示すように制御回路部１４のＮ端子からの出力で発光器２Ｂを所定時間、フラット発光させ、充電ユニット１に設けた受光器１Ｂでその光を受けて、その結果を制御回路部６のＣ端子に導く。制御回路部６は充電ユニット１と電子機器２は所定の位置関係、即ち、近接状態にあると判断する。
【００２３】
１Ｄは整流回路部５のＩ端子とアナログ回路部６ＡのＨ端子の間に配したアナログスイッチで制御回路部６のＴ端子からの「H」信号により整流回路部５と制御回路部６との接続を切り、またはその「H」信号を除去すると接続を行なう作動を行なう。また、アナログ回路部６ＡのＨ端子と放電制御回路部と接続するＤ端子とは内部的に接続されている。
【００２４】
７は蓄電池を、過電流検知部８を示し、アナログ回路部６ＡのＤ端子から蓄電池７から直流電流を放電させるよう制御を行なう放電制御回路部９との間に過電流検知部８を介して蓄電池７を接続する。放電制御回路部９からの直流電流を交流電流に変換するインバータ回路部１０と、インバータ回路部１０により変換された交流電流を流して電磁誘導を発生させる電磁誘導発生部１１とを備えている。
【００２５】
過電流検知部８はアナログ回路部６のＤ端子とＧ端子との間に接続し、過電流検知部８である素子は、その素子温度と抵抗値の変化を図６に示すように、ある温度で急激に変化するような素子、ポリスイッチを用いる。ポリスイッチはポリマー系のＰＴＣサーミスタとも呼ばれている。過電流検知部８、即ち、ポリスイッチと直列に接続した蓄電池に大量の電流が流れて温度が上昇すると抵抗値が急激に変化して、Ｄ端子とＧ端子の間の電圧を検知して、Ａ／Ｄ変換器６ＢでＡ／Ｄ変換して得たデジタル値を制御回路６に入力し、予め設定された電圧規定値を示すデジタル値に達したとき、制御回路６のＴ端子からアナログスイッチ１Ｄに信号を与え、整流回路５から蓄電池７への充電を停止する。
【００２６】
また、アナログ回路部６ＡのＧ端子の電圧を測定し、その電圧をＡ／Ｄ変換器６Ｂにデジタル値に変換して制御回路６に入力し、予め設定された電圧規定値を示すデジタル値に達したとき、制御回路６のＴ端子からアナログスイッチ１Ｄに信号を与え、整流回路５から蓄電池７への充電を停止する。
【００２７】
一方、非接触で充電可能な電子機器２は、充電ユニット１内の電磁誘導発生部１１による電磁誘導により交流電流を励起し起電させる起電部１２と、起電部１２からの交流電流を直流に整流する整流回路部１３と、アナログ回路部１４Ａを介して整流回路部１３により整流された直流電流を充電する蓄電池１５とを備え、１６は蓄電池１５を充電するときに過電流を防ぐために設けた過電流検知部であり、過電流検知部８と同様にポリスイッチを用いる。アナログ回路部１４ＡのＰ端子とＱ端子の間で電圧を検知し、その電圧を１４Ｂで示したＡ／Ｄ変換器を介してＡ／Ｄ変換して制御回路部１４に導き、制御回路部１４で設定した規定値以上の値になると過電流がながれていることを検知し、整流回路部１３のＬ端子とアナログ回路部１４ＡのＵ端子との間に接続されたアナログスイッチ２Ｄに制御回路部１４のＳ端子から信号を与え、整流回路部１３とアナログ回路部１４Ａとの接続を断つ。蓄電池１５の電流を流すために放電回路部１７を設ける。１８は蓄電池１５の残量を表示する表示部であり、蓄電池１５の電圧をＡ／Ｄ変換器１４ＡでＡ／Ｄ変換後、制御回路部１４で残量に換算してＶ端子から出力して残量表示部１８で表示する。１９は電子機器の機能の実行をスタートする操作スイッチを示し、２０は機器内部の機能を実現する電子機器回路部を示し、電子機器回路部２０にＷ端子を介して給電し、制御回路部６からＶ端子を介して作動信号が供給される。
【００２８】
また、蓄電池１５の電圧が規定値以上に充電されないように制御回路部１４のＱ端子で電圧を測定し、その電圧をＡ／Ｄ変換器１４Ｂを介してＡ／Ｄ変換したデジタル値を制御回路部１４に導き、制御回路部１４で設定した規定値に達した時、前記電圧は所定電圧以上になると判断し、整流回路部１３のＬ端子とアナログ回路部１４ＡのＵ端子との間に接続されたアナログスイッチ２Ｄに制御回路部１４のＳ端子から信号を与え、整流回路部１３とアナログ回路部１４Ａとの接続を断ち、蓄電池１５への充電を停止する。
【００２９】
次に図７のフローチャートをもとに本発明の第１の実施例の作動を説明する。
まず、Ｓ２で充電ユニット１にある起動スイッチ１Ｃをオンすると、制御回路部６のＡ端子に信号が入力され、Ｓ３で制御回路部６のＢ端子より信号を発生し発光器１Ａを発光させるとＳ４で電子機器２にある受光器２Ａがその光を受光し、Ｓ４で受光レベルが検知レベルであるか否かを判断し、検知であると制御回路部１４で判定したとき、Ｓ５で発光器２Ｂを図２に示すようにフラット発光させ、Ｓ６で充電ユニット１にある受光器１Ｂで受信し、制御回路部６のＣ端子に出力し、充電ユニット１と電子機器２とが所定の位置関係、即ち、近接状態であると判断する。
【００３０】
次に、Ｓ７で電子機器２の操作スイッチ１９が作動乃至は作動準備状態であるかどうかを判定し、作動乃至は作動準備状態ではないときに、即ち操作スイッチ１９がオフ状態であると制御回路部１４のＯ端子より検知した時、Ｓ８でＮ端子より発光器２Ｂを図３に示すようなパターンで発光させる。Ｓ９でその発光状態を受光器１Ｂが検知したときに制御回路６のＣ端子が検知したときに制御回路６は操作スイッチがオフであることを認識する。
【００３１】
Ｓ１０で制御回路６のＴ端子が「L」信号のとき、アナログスイッチ１Ｄがオン状態であり、Ｓ１１で交流電源３が入力部４に入力され交流を直流に変換する整流回路部５が作動する。アナログ回路部６AのＤ端子を通して整流回路部５により整流された直流電流で蓄電池７が充電を開始する。
【００３２】
Ｓ１２に示すようにアナログ回路部６Ａで測定されたＧ電圧またはＤＧ電圧をＡ／Ｄ変換器６ＢでＡ／Ｄ変換しデジタル値を制御回路部６に導き、Ｓ１３で制御回路部６において前もってセットされた電圧規定値または過電流規定値に対応するデジタル値と比較し、それぞれ規定値Ｋ１、Ｋ２以下のときはＳ１４のようにインバータ回路部１０を作動して交流に変換し、電磁誘導発生部１１に導く。それぞれが規定値Ｋ１またはＫ２を越えたときにＳ１５で示すようにアナログスイッチ１Ｄをオフするよう制御回路６のＴ３端子を「Ｈ」にする。
【００３３】
電磁誘導発生部１０のコイルに交流が流れると電子機器２のコイルからなる起電部１２に交流が流れ、その交流は整流回路部１３でＳ１６に示すように整流され、アナログ回路部１４Ａに導き、Ｓ１７で示すように過電流検知部１６を介して蓄電池１５の充電を開始する。
【００３４】
蓄電池１５の充電電圧をアナログ回路部１４ＡのＱ端子で、過電流検知部１６の端子電圧をＰＱ端子間で検出し、その検出した電圧をＳ１８で示すようにＡ／Ｄ変換器１４ＢでＡ／Ｄ変換してデジタル値を得、Ｓ１９で示すように制御回路部１４で前もって設定されたＫ３、Ｋ４と比較しそれぞれＫ３、Ｋ４以下であれば、Ｓ２０に示すように電子機器回路部に導く。もし、Ｋ３、Ｋ４を越えると制御回路１４のＳ端子を「Ｈ」にしてＳ２１に示すようにアナログスイッチ２Ｄをオフする。
【００３５】
Ｓ１３で制御回路部６において前もってセットされた電圧規定値または過電流規定値に対応するデジタル値と比較し、それぞれ規定値Ｋ１、Ｋ２以下でない場合、即ち、電圧規定値を越すか、または過電流の規定値を越した場合にＳ１５で示すように制御回路部６のＴ端子から「H」信号をアナログスイッチ１Dに供給し、整流回路部５からアナログ回路部６Aに電流が流れないようにする。
【００３６】
またＳ４で発光器１Ａを制御回路部６の信号により作動させて発光させたとき受光器２Ａの信号が検知でないとＳ４で判定したときは、電子機器２が充電ユニット１に対して近接していないと判断する。そのとき、Ｓ３１に示すように制御回路１４よりＮ端子からの信号により発光器２Ｂを図４のパターンで発光し、Ｓ３２で示すように受光器１Ｂで受信し、制御回路６のＣ端子に入力する。
【００３７】
制御回路６のＴ端子は「Ｌ」であり、Ｓ３３で示すようにアナログスイッチ１Ｄはオン状態で整流回路部５よりアナログ回路６ＡのＤ端子より過電流検知部８を介してＳ３４で示すように蓄電池７の充電を開始する。Ｓ３５で示すようにＧ端子電圧、ＤＧ端子間電圧を測定し、それらの電圧をＡ／Ｄ変換器６Ｂでデジタル値に変換し制御回路６に導く。Ｓ３６で示すように制御回路６で充電電圧規定値Ｋ１、過電流規定値Ｋ２とそれぞれのデジタル値を比較し、Ｓ３７で示すように充電電圧規定値又は過電流規定値に達した時に制御回路６のＴ端子を「Ｈ」にし、アナログスイッチ１Ｄをオフし、整流回路部５から蓄電池への電流の供給を停止する。
【００３８】
Ｓ４で受光器２Ａの受光信号の測定により充電ユニット１と電子機器２とが近接状態にあると判断した状態で、操作スイッチ１９をオンにしたとき、Ｓ５１で示すように制御回路１４を介して制御回路部６に図６で示す発光状態で発光器２Ｂが発光され、Ｓ５２で示すように受光器１Ｂはその受光信号を受信して制御回路部６にその受光信号を伝達する。そのとき、電子機器２が交流と接続されていると感電等の危険性があるので、Ｓ５３で示すように制御回路部６はＴ端子を「Ｈ」にし、整流回路部５のＩ端子と制御回路部Ｈ端子と接続を切る。
【００３９】
しかしながら、蓄電池７に既に蓄積された電圧を、先のＳ１４〜Ｓ２０で述べたようにインバータ回路部１０を作動して交流に変換し、電磁誘導発生部１１に導き、電磁誘導発生部１１のコイルに交流が流れると電子機器２のコイルからなる起電部１２に交流が流れ、整流回路部１３、アナログ回路部１４Ａを介して前述と同じように蓄電池１５に電荷が蓄積され、放電回路部１７を介して電子機器回路部２０に給電可能とする。従って、充電ユニット１の蓄電池７に蓄積された電荷を電子機器２に対して使用できる。
【００４０】
図８は本発明の第２の実施例を示す。
充電ユニット１と非接触の電子機器２とが近接状態ではないとき、即ち離れているときは前述の説明では充電ユニット１の蓄電池７を充電状態におくようにした。即ち、図７のフローチャートではＳ３３でアナログスイッチ１Ｄをオン状態にしたが、図８のフローチャートのようにＳ３３Ａのように制御回路６のＴ端子を「Ｈ」にして整流回路部５のＩ端子と制御回路部Ｈ端子と接続を切り、整流回路部５から蓄電池７に電流が流れないようにしてもよい。
【００４１】
図９は本発明の第３の実施例を示す。
第３の実施例において第１の実施例と異なる点は図１の第１の実施例において制御回路６に接続する蓄電池７は一つであったが、図３において２個の蓄電池６Ａ、６Ｂが接続され、それに従ってアナログ回路部６Ｃは蓄電池６Ａ、６Ｂを充電する端子、電圧検出部、過電流検出部がそれぞれ２箇所設けられている。また、整流回路部５とアナログ回路部６Ｃとの間にアナログスイッチ１Ｄと１Ｅの２個を配している。アナログ回路部６Ｃのアナログスイッチ１Ｄと接続するＨ端子と放電制御回路部９Ａと接続するＤＡ端子は内部的に接続され、アナログスイッチ１Ｅと接続するＦ端子と放電制御回路部９Ｂと接続するＤＢ端子は内部的に接続されている。
【００４２】
第３実施例の作動は、まず、制御回路６のＴ端子を「Ｌ」、Ｅ端子を「Ｈ」にして整流回路５とアナログ回路部６Ｃとの間に配されたアナログスイッチ１Ｄをオン、１Ｅをオフして蓄電池６Ａを充電し、充電規定電圧まで充電されると、制御回路６のＴ端子を「Ｈ」、Ｅ端子を「Ｌ」にしてアナログスイッチ１Ｄをオフ、１Ｅをオンにして蓄電池６Ａの充電を停止して蓄電池６Ｂの充電を開始し充電規定電圧まで充電されるとアナログスイッチ１Ｄ及び１Ｅをオフする。
【００４３】
また、過電流検知のために第１実施例と同じようにそれぞれの蓄電池に過電流検知部を配し、第１実施例と同じく過電流が検知されるとそれぞれオンであったアナログスイッチを制御回路からの信号により充電を停止する。
【００４４】
第３の実施例の作動を示すフローチャートは図７のフローチャートと同一部分の説明は省略して図１０で示す。
図７のフローチャートで、Ｓ５で電子機器２の操作スイッチ１９がオフから説明を行なう。その操作スイッチ１９がオフであるとき、図７のようにＳ８でＯ端子より操作スイッチがオフであることを制御回路１４が認識し、制御回路１４よりＮ端子を介して発光器２Ｂを発光させ、Ｓ９でその光を受光器１Ｂで受光して制御回路６に伝達し、操作スイッチ１９がオフであることを制御装置６は認識する。
【００４５】
次に制御装置６はＴ端子を「Ｌ」、Ｅ端子を「Ｈ」にセットすると、Ｓ６１に示すようにアナログスイッチ１Ｄはオン、１ＥはオフにするとＳ６２に示すように電流は整流回路部５のＩ端子からアナログ回路部６ＡのＤＡ端子を介して過電流検知部を通って蓄電池７Ａの充電を開始する。そのとき蓄電池７Ａの充電電圧はアナログ回路部のＧＡ端子により、過電流検知部の電圧はＤＡ−ＧＡ間電圧で測定され、Ｓ６３で示すようにその電圧をＡ／Ｄ変換し、制御回路部６に伝達する。Ｓ６４でそれらのデジタル値を予めセットされた規定充電電圧、規定過電流検知電圧のデジタル値Ｋ５、Ｋ６と比較し、Ｓ６５で示すようにそれぞれのいずれかがＫ５またはＫ６以上の値になったとき、制御回路部６のＴ端子、Ｅ端子を介してアナログスイッチ１Ｄをオフ、１Ｅをオンし、Ｓ６６で示すように蓄電池７Ｂの充電を開始する。Ｓ６７で示すように蓄電池７Ｂの充電電圧はアナログ回路部のＧＢ端子により、過電流検知部の電圧はＤＢ−ＧＢ間電圧で測定され、それらの電圧をＡ／Ｄ変換し、制御回路部６に伝達する。Ｓ６８でそれらのデジタル値を予めセットされた規定充電電圧、規定化電流検知電圧のデジタル値Ｋ７、Ｋ８と比較し、それらのデジタル値のいずれかがＫ７、Ｋ８以上の値になったとき、Ｓ６９に示すように制御回路部のＴ端子、Ｅ端子を介してアナログスイッチ１Ｄ、１Ｅをオフし、充電を停止する。
【図面の簡単な説明】
【００４６】
【図１】本発明の第１の実施例を示す図
【図２】発光器２Ｂの発光特性図
【図３】発光器２Ｂの発光特性図
【図４】発光器２Ｂの発光特性図
【図５】発光器２Ｂの発光特性図
【図６】ポリスイッチの特性図
【図７】第１の実施例の作動を示すフローチャート
【図８】第１の実施例の変形例として第２の実施例を示すフローチャート
【図９】本発明の第２の実施例を示す図
【図１０】第２の実施例の作動を示すフローチャート
【図１１】従来例を示す図
【図１２】従来例を示す図
【符号の説明】
【００４７】
１・・・・・・・・・充電ユニット
１Ａ・・・・・・・・発光器
１Ｂ・・・・・・・・受光器
１Ｃ・・・・・・・・起動スイッチ
２・・・・・・・・・電子機器
２Ａ・・・・・・・・受光器
２Ｂ・・・・・・・・発光器
３・・・・・・・・・交流電源
４・・・・・・・・・入力部
５・・・・・・・・・整流回路部
６・・・・・・・・・制御回路部
６Ａ・・・・・・・・アナログ回路部
６Ｂ・・・・・・・・Ａ／Ｄ変換器
６Ｃ・・・・・・・・アナログ回路部
７・・・・・・・・・蓄電池
８・・・・・・・・・過電流検知部
９・・・・・・・・・放電制御回路部
１０・・・・・・・・インバータ回路部
１１・・・・・・・・電磁誘導発生部
１２・・・・・・・・起電部
１３・・・・・・・・整流回路部
１４・・・・・・・・制御回路部
１４Ａ・・・・・・・アナログ回路部
１４Ｂ・・・・・・・Ａ／Ｄ変換器
１５・・・・・・・・蓄電池
１６・・・・・・・・過電流検知部
１７・・・・・・・・放電回路部
１８・・・・・・・・蓄電池残量表示回路
１９・・・・・・・・操作スイッチ
２０・・・・・・・・電子機器回路部
【図１】
2010130834.tif 000003
【図２】
2010130834.tif 000004
【図３】
2010130834.tif 000005
【図４】
2010130834.tif 000006
【図５】
2010130834.tif 000007
【図６】
2010130834.tif 000008
【図７】
2010130834.tif 000009
【図８】
2010130834.tif 000010
【図９】
2010130834.tif 000011
【図１０】
2010130834.tif 000012
【図１１】
2010130834.tif 000013
【図１２】
2010130834.tif 000014